(57)【特許請求の範囲】
【請求項１】
透明部分を有する筐体と、
印字欄、印字欄の外側周囲を覆う固定用粘着剤、および、印字欄に形成される通気用穴を有し、筐体の透明部分の内側から貼られるシール状印字部材と、
を備え、
シール状印字部材は、透明部分を介し外部からの光学的印字手段により通気用穴で通気されつつ印字されることを特徴とする計量器。
【請求項２】
透明部分を有する筐体と、
透明部分との間に空間部を有するように筐体内に設けられた銘板と、
銘板上に貼られたシール状印字部材と、
を備え、
シール状印字部材は、透明部分および空間部を介し外部からの光学的印字手段により空間部で通気されつつ印字されることを特徴とする計量器。
【請求項３】
前記使用量検出手段は使用電力量検出手段であることを特徴とする請求項１または請求項２記載の計量器。
【請求項４】
前記使用量検出手段は使用ガス量検出手段であることを特徴とする請求項１または請求項２記載の計量器。
【請求項５】
前記使用量検出手段は使用水量検出手段であることを特徴とする請求項１または請求項２記載の計量器。
【請求項６】
透明部分を有する筐体と、印字欄、印字欄の外側周囲を覆う固定用粘着剤、および、印字欄に形成される通気用穴を有し、筐体の透明部分の内側から貼られるシール状印字部材と、を具備する請求項１の計量器に対し、
前記計量器外部から光学的印字手段により前記透明部分を介し前記印字部に対し印字を行うことを特徴とした計量器印字方法。
【請求項７】
透明部分を有する筐体と、透明部分との間に空間部を有するように筐体内に設けられた銘板と、銘板上に貼られたシール状印字部材と、を具備する請求項２の計量器に対し、
前記計量器外部から光学的印字手段により前記透明部分および前記空間部を介し前記印字部に対し印字を行うことを特徴とした計量器印字方法。
【発明の詳細な説明】
【技術分野】
【０００１】
本発明は被測定系の使用量を測定する計量器、並びに計量器に対する印字方法に関する。
【背景技術】
【０００２】
電気、ガス、水道等の使用量を測定する所謂取引用計量器は、使用者と電気、ガス、水道等の事業者間で料金取引きに使用されるため、その公正さを担保する必要がある。この公正さを担保する制度として型式承認制度と検定制度の二つの制度がある。型式承認制度とは第三者認定機関により計量法に定められた試験を行い、技術基準に適合する場合は型式承認番号を付与し取引き用の計量器として使用してよい旨認可する制度である。また、検定制度とは型式承認を受けた計量器について、製造後各一台毎に法定試験を行い、合格した場合、取引き用の計量器として使用してよい旨認可する制度である。前記２つの制度にて二重に計量器が公正なものであることを担保している。
【０００３】
ところで、検定制度にて法定試験に合格した計量器は、検定表示項目の表示を行うことが義務付けられている。当該表示は検定試験に合格したことを証明する表示である基準適合認印と、使用することが認められた期間をあらわす検定有効期限を表示することが必要とされ、第三者認定機関または、認定を得た指定製造業者により付される。当該表示は検定ラベルとして完成した計量器に試験終了後貼られるのが一般的であった。
【０００４】
また、検定ラベルの表示内容を本体に刻印した計量器や、印刷した計量器がある（例えば特許文献１）。
【特許文献１】特開２００２−３４０６３３号公報（第６頁、図６）
【発明の開示】
【発明が解決しようとする課題】
【０００５】
しかしながら、これらの計量器は屋外で使用されるものであるところ、検定有効期限等を記載したシール状の検定ラベルは、計器本体表面に貼られているので、風雨により剥がれたり、また、人為的に不正目的ではがされたりする場合があった。検定有効期限等を記載した刻印や印刷は、風雨により消えたり、また、人為的に不正目的で削られたりする場合があった。当該表示が不明確となった場合、基準適合認印や検定有効期限が識別不能となり、例えば検定有効期間満了後に当該計量器が使用されることもあり、法的には検定を受けていない計量器にて料金取引きは行えないところ、このような計量器の使用は料金取引きに支障をきたすことになる。
【０００６】
本発明は、料金取引きを円滑に行うことができるように、検定表示項目が除去されたり、汚れで見にくくなったりすることを防止した計量器、ならびに検定表示項目印字方法を提供することを目的とする。
【課題を解決するための手段】
【０００７】
上記目的を達成するために、本発明による計量器は、
透明部分を有する筐体と、
印字欄、印字欄の外側周囲を覆う固定用粘着剤、および、印字欄に形成される通気用穴を有し、筐体の透明部分の内側から貼られるシール状印字部材と、
を備え、
シール状印字部材は、透明部分を介し外部からの光学的印字手段により通気用穴で通気されつつ印字されることを特徴とする。
また、本発明による計量器は、
透明部分を有する筐体と、
透明部分との間に空間部を有するように筐体内に設けられた銘板と、
銘板上に貼られたシール状印字部材と、
を備え、
シール状印字部材は、透明部分および空間部を介し外部からの光学的印字手段により空間部で通気されつつ印字されることを特徴とする。
また、本発明による計量器は、
前記使用量検出手段は使用電力量検出手段であることを特徴とする。
また、本発明による計量器は、
前記使用量検出手段は使用ガス量検出手段であることを特徴とする。
また、本発明による計量器は、
前記使用量検出手段は使用水量検出手段であることを特徴とする。
【０００８】
また、本発明による印字方法は、
透明部分を有する筐体と、印字欄、印字欄の外側周囲を覆う固定用粘着剤、および、印字欄に形成される通気用穴を有し、筐体の透明部分の内側から貼られるシール状印字部材と、を具備する計量器に対し、
前記計量器外部から光学的印字手段により前記透明部分を介し前記印字部に対し印字を行うことを特徴とする。
また、本発明による印字方法は、
透明部分を有する筐体と、透明部分との間に空間部を有するように筐体内に設けられた銘板と、銘板上に貼られたシール状印字部材と、を具備する計量器に対し、
前記計量器外部から光学的印字手段により前記透明部分および前記空間部を介し前記印字部に対し印字を行うことを特徴とする。
【発明の効果】
【０００９】
本発明によれば、検定表示項目が除去されたり、汚れで見にくくなったりすることを防止した計量器、ならびに検定表示項目印字方法を提供することができる。
【発明を実施するための最良の形態】
【００１０】
以下、本発明の実施例を説明する。
【実施例１】
【００１１】
本発明による計量器の実施例１である電力量計について図１を参照して説明する。
【００１２】
図１において、１０１は筐体で、金属やプラスチックの部材により構成されており，電力量計の内部構成部品を支持するとともに、外部の雨風等から内部を保護する。
【００１３】
１０２は使用量検出部で電力量検出装置により構成されており、外部から供給される電圧、負荷側で使用される使用電流を検出し、乗算し使用電力量データに変換する。なお、ガスメータの場合はガス量検出装置により構成され、ガス量を検出し使用ガス量データに変換し、水道メータの場合は水量検出装置により構成され、水量を検出し使用水量データに変換する。
【００１４】
１０３は表示部で液晶表示器等により構成されており、使用量検出部１０２にて演算された使用量データを表示する。
【００１５】
１０４は銘板でアルミニウム板等を加工して製作されており、計量器の定格、製造業者等を表示するとともに、表示部１０３をその開口部から露出させ、露出不要箇所である使用量検出部１０２等を覆い隠す。
【００１６】
１０５は透明窓部でガラス等から構成されており、計量器内部を保護すると共に、表示部１０３、銘板１０４の表示項目を外部から視認可能となるようにする。
【００１７】
１０６ａは検定用シールであり、樹脂などのフィルム状部材等から構成されており、検定表示項目を表示する。
【００１８】
図２に検定用シール１０６ａの構造を示す。２０１は粘着剤でゴム系透明粘着剤等から構成されており、検定用シール１０６ａの有効期限印字欄の外部に設けられ検定用シール１０６ａを透明窓部１０５に固定する。つまり，検定用シール１０６ａは表側面に粘着剤２０１を有しその粘着剤にて透明窓部１０５の内側から貼られる。
【００１９】
２０２は基準適合認印表示であり，検定シール１０６ａの表面に設けられており，計量器が検定試験に合格したことを証明する。
【００２０】
２０３は有効期限印字欄であり，検定シール１０６ａの表面に設けられており，検定試験終了後，試験に合格した場合に使用することが認められた期限をあらわす検定有効期限の年月が印字される。なお、検定有効期限を示す年月表示２０５は検定試験後に印字されるため、組み立て時に検定シール１０６ａを透明窓部１０５へ貼り付ける段階では有効期限印字欄２０３には印字はされていない。
【００２１】
２０４は通気孔であり検定シールの表面と裏面の空気を流通させる。印字時にレーザー光を受けた検定シール１０６ａの温度は上昇する。すると検定シール１０６ａと透明窓部１０５の間にある空気が膨張する。この膨張した空気は通気孔２０４をとおり検定シール１０６ａの裏側へと逃げ検定シールが膨らむのを防ぐ。
【００２２】
次に、本実施例の動作を図３を参照しつつ、説明する。
【００２３】
図３は計量器に対し印字を行う印字設備を表している。３０１は検定試験に合格した計量器本体で、電力量計、ガスメータ、水道メータ等がこれにあたる。本例は電力量計をあらわしている。３０２はレーザー刻印機でレ−ザー発振機等により構成され、レーザー光を発射し検定用シール１０６ａの有効期限印字欄に年月を印字する。３０３はパーソナルコンピュータでレーザー刻印機３０２に対し印字項目等その印字動作を制御している。
【００２４】
計量器本体３０１は検定試験前に組み立てられ、検定用ラベル１０６ａはこの組み立て時に透明窓部１０５の内側から貼られる。このとき検定用ラベル１０６ａの有効期限印字欄２０３は未印字である。組み立て後に行われる検定試験にて不合格となった計量器にまで取引きに使用可能であることを証明する印字済み検定シールを付与することとなる不都合を回避するためである。一方，検定試験が終了し合格となった計量器は当該試験は完成品に対して行われるものであるところ再度筐体１０１を開封して検定有効期限を記入した検定ラベルを透明窓内側に貼ることは許されない。検定試験後に再度計量器の筐体１０１を開封したのでは絶縁性能等所定の性能を満たしていることを担保できないからである。
【００２５】
検定試験に合格した計量器はその筐体に固定されている透明窓部１０５を介し検定シール１０６ａ上有効期限印字欄２０３に年月表示２０５等必要事項をレーザー刻印機３０２により印字される。透明窓部１０５は透明でありレーザー光線を透過させるため、検定用シール１０６ａはレーザー刻印機により印字されることが可能である。その結果，検定シール１０６ａは検定に合格し取引きに使用しても良いことを表す完成した検定ラベルを形成することになる。
【００２６】
検定ラベル１０６ａにおいて粘着剤２０１は有効期限印字欄２０３の外部に設けられている。粘着剤２０１は透明な接着剤等であるが、仮に、有効期限印字欄２０３上に付されたとすると、印字時に、粘着剤２０１もレーザー刻印機により焼かれて印字されることになる。粘着剤２０１は印字用には適しておらず、印字のにじみやかすれの原因となる。本実施例を用いればレーザー刻印が行われる有効期限印字欄２０３には粘着剤２０１が存在しないため、直接検定シール１０６ａに印字することができ、にじみやかすれが少ない上質の印字を行うことができる。
【００２７】
また、通気孔２０４は検定シールの表面と裏面の空気を流通させる。印字時にレーザー光を受けた検定シール１０６ａの温度は上昇する。すると検定シール１０６ａと透明窓部１０５の間にある空気が膨張する。この膨張した空気は通気孔２０４をとおり検定シール１０６ａの裏側へと逃げ検定シールが膨らむのを防ぐ。
【００２８】
以上のように本実施例を用いれば、検定表示項目が除去されたり、汚れで見にくくなったりすることを防止した計量器、ならびに検定表示項目印字方法を提供することができる。さらに、検定試験に合格した計量器に対し印字を行うので検定試験に不合格となった計量器にまで、取引きに使用可能である旨を証明する完成した検定シールを付与する不都合は発生しない。また，検定試験が終了した計量器を再度開封し検定シールを貼るようなこともないので検定試験時の性能を確保することができる。
【実施例２】
【００２９】
本発明による計量器の実施例２について図４を参照して説明する。この実施例２の各部について、図１に示す実施例１の計量器の各部と同一部分は同一符号で示す。
【００３０】
この実施例２が、実施例１と相違する点は、実施例１では検定シール１０６ａを透明窓部１０５に貼ったのに対し、実施例２では検定シール１０６ｂを銘板１０４に貼っている点である。
【００３１】
検定試験に合格した計量器はその筐体に固定されている透明窓部１０５を介し検定ラベル１０６ｂの有効期限印字欄２０３に年月表示２０５等必要事項をレーザー刻印機３０２により刻印される。その結果，検定シール１０６ｂは検定に合格し取引きに使用しても良いことを表す完成した検定ラベルを形成することになる。
【００３２】
また、図４においては検定シール１０６ｂを銘板１０４に貼っているが、銘板１０４に検定シールと同様な事項を記載しておき計量器の検定試験終了後に銘板１０４に対しレーザー刻印機にて年月表示等必要記載事項を印字することもできる。計量器は検定有効期限満了後オーバーホールされ再度使用される場合もある。この場合一回目の検定試験終了時には銘板１０４に対し印字を行い、二回目のオーバーホール時に検定シール１０６ｂを銘板１０４上の検定記載事項の上に貼り、検定試験終了時にレーザー刻印機３０２にて印字するようにすれば、一回目の検定試験に対する検定シールを剥がす手間が省けるので便利である。
【００３３】
以上のように、本実施例を用いれば、検定表示項目が除去されたり、汚れで見にくくなったりすることを防止した計量器、ならびに検定表示項目印字方法を提供することができる。
【図面の簡単な説明】
【００３４】
【図１】本発明による計量器の実施例１の構成を示す内部構成図
【図２】本発明による計量器にかかる検定用シールの構成を示す構成図
【図３】本発明による印字方法にかかる印字設備の構成を示す構成図
【図４】本発明による計量器の実施例２の構成を示す内部構成図
【符号の説明】
【００３５】
１０１    筐体
１０２    使用量検出部
１０３    表示部
１０４    銘板
１０５    透明窓部
１０６ａ  検定用シール
１０６ｂ  検定用シール
２０１    粘着剤
２０２    基準適合認印表示
２０３    有効期限印字欄
２０４    通気孔
２０５    年月表示
３０１    計量器本体
３０２    レーザー刻印機
３０３    パーソナルコンピュータ
【図１】
0004845095.tif 000002
【図２】
0004845095.tif 000003
【図３】
0004845095.tif 000004
【図４】
0004845095.tif 000005